Podtech/llm-jp-corpus-v4-ja_patent huggingface dataset:
(57)【要約】      （修正有）【課題】ジャバラ状で、細くて曲りも多い家庭用エアコンドレンホース内の掃除が容易なドレンホース掃除具を提供する。【解決手段】可撓性を有する細いワイヤーチューブ１の先端に、球状の玉部３を回転する様に、細いステンレス線４を玉の中心に通し、これをワイヤーチューブ先端部に固定し、その後ろに汚れをかきとる柔らかいナイロンブラシ７を熱収縮チューブ８を介して取り付けた。玉が回転することにより、ドレンホースの各曲り部分で抵抗なく進み、又細く可撓性が有る曲り角が小さなワイヤーホースも、抵抗が少なく、スムースに入れ込むことが出来、又後ろのナイロンブラシで確実に汚れをかき取ることが出来る。【選択図】図２
0003215209.tif 000002
【実用新案登録請求の範囲】
【請求項１】
可撓性を有するワイヤー部材と、該ワイヤー部材の先端に取り付けられる玉部材と、前記ワイヤー部材の外周で、前記玉部材から所定距離を隔てて設けられるブラシ部材から構成されたことを特徴とするドレンホース掃除具。
【請求項２】
前記玉部材は、該玉部材を回転自在に支持する支持部材によって、前記ワイヤー部材に取り付けられていることを特徴とする請求項１記載のドレンホース掃除具。
【請求項３】
前記ワイヤー部材は、少なくとも先端部に中空部が構成されており、この中空部に前記支持部材が、挿入固定されていることを特徴とする請求項２記載のドレンホース掃除具。
【考案の詳細な説明】
【技術分野】
【０００１】    本考案は家庭用ルームエアコン、ドレンホースの詰まりを除去する掃除具に、関する物である。
【背景技術】
【０００２】    家庭用ルームエアコン、ドレン排水の詰まり除去修理に、時間と労力を費やしても完全に汚れを除去できなかった。
【考案の概要】
【考案が解決しようとする課題】
【０００３】    ルームエアコンなどのドレンホースの内部を掃除する際は、ワイヤーの先端にブラシをドレンホース内に挿入して掃除することが考えられる。この場合、ブラシがドレンホース内をうまく進まず途中で引っ掛ったりすることが考えられる。
【課題を解決するための手段】
【０００４】    本考案は、前記した課題を解決するために、可撓性を有するワイヤー部材と、該ワイヤー部材の先端に取り付けられる玉部材と、前記ワイヤー部材の外周で、前記玉部材から所定距離を隔てて設けられるブラシ部材から構成されたことを特徴とする。【０００５】    また本考案においては、前記玉部材は、該玉部材を回転自在に支持する支持部材によって、前記ワイヤー部材に取り付けられていることを特徴とする。
【考案の効果】
【０００６】    本考案は前記構成とすることで、ドレンホース内を掃除する際において、ワイヤー部材の先端に取り付けられた玉部材が回転しながらドレンホース内を進み、ブラシ部材でドレンホース内の内壁の汚れを落としていくことが出来る。そして、その際に、ワイヤー部材は可撓性を有しているため、ドレンホースが曲がっていてもこれに追従して対応可能であり、挿入がスムーズとなる。
【図面の簡単な説明】
【０００７】
【図１】  本考案のドレンホース掃除具の実施例を示す全体図。
【図２】  本考案のドレンホース掃除具先端の組立図である。
【図３】  本考案の玉部材の組立図。
【図４】  本考案の作動状態を示す一部断面図
【考案を実施するための形態】
【０００８】  可撓性を有するワイヤーチューブの先端に、球形の玉部材を回転するよう細いステンレス線で取り付けその後ろに、柔らかいブラシを取り付けている。
【実施例】
【０００９】      以下添付図面に従って実施例を説明する。
本考案の掃除具を構成するワイヤー部材１は、例えば可撓性を有するナイロン製で構成されている。そして、このワイヤー部材１の先端部１ａには中空部２が形成されている。このワイヤー部材１の先端部１ａには球状の玉部材３が支持されるようになっている。【００１０】この玉部材３は、貫通穴３ａが設けられており、この貫通穴３ａに支持金物である直線状のステンレス線を挿通し、その後に折り曲げ加工して図３で示すように保持部４ａと足部４ｂと足部４ｂから折り曲げた爪部４ｃとを形成している。【００１１】そして、この支持金具４はその足部４ｂが漏斗状のスリーブ５に挿入される。このとき、爪部４ｃは前記スリーブ５から突き出した状態となっている。【００１２】なおこの玉部材３を支持した支持金具４と、前記スリーブ５とで支持部材６を構成している。そして玉部材３を回転自在支持した支持部材６は、そのスリーブ５が前記ワイヤー部材１の中空部２内に押入されて固定される。このとき、前記スリーブ５から突出している爪部４ｃが前記中空部２の内壁に圧接された状態となって固定されるため、簡単に抜け出ることはない。【００１３】一方玉部材３から所定距離、たとえば５ｃｍ程度離れたワイヤー部材１の外周には、放射状に突出する複数のブラシを有するブラシ部材７が取付けられている。【００１４】上記したブラシ部材７は、その両側にブラシが設けられていない取付部が形成されており、この取付部を熱収縮チューブで覆い、その後に熱収縮チューブを過熱することで収縮させて、ワイヤー部材１に固定される。【００１５】上記構成としたドレンホース掃除具は、図４に示すように、ドレンホース内に挿入されて、ブラシ部材７がドレンの内壁の汚れを掃除する。その際にドレンホースが湾曲している場合は、玉部材３が回転自在となっているため、ドレンホースの内壁に接触しながら前方へ進むことができ、しかもワイヤー部材１は可撓性となっているため、容易に曲げられて、前方へ進んでいくことができる。
【符号の説明】
【００１６】１  ワイヤー部材
１ａ  先端部
２  中空部
３  玉部材
３ａ  貫通穴
４  支持金具
４ａ  保持部
４ｂ  足部
４ｃ  爪部
５  スリーブ
６  支持部材
７  ブラシ部材
８  熱収縮チューブ
【図１】
0003215209.tif 000003
【図２】
0003215209.tif 000004
【図３】
0003215209.tif 000005
【図４】
0003215209.tif 000006
(57)【要約】      （修正有）【課題】靴面の前脚曲折位置に弾性織帯を設置する靴を提供する。【解決手段】靴面１１の前脚曲折位置に弾性織帯を設置する靴１は、靴底１０及び靴面１１を有する。靴面１１は第一靴面１１１、第二靴面１１２、第三靴面１１３を有する。中足骨部の指骨部に隣接する付近に位置する第二靴面１１２は弾性織帯で製造し、第一靴面１１１と第三靴面１１３に連接する。これにより前脚曲折位置の指骨部に対する圧力を解除する。【選択図】図２
0003215278.tif 000002
【実用新案登録請求の範囲】
【請求項１】
靴面の前脚曲折位置に弾性織帯を設置する靴であって、靴底、靴面を有し、
前記靴面は第一靴面、第二靴面、第三靴面が相互に連接し、前記靴底において環状に固定され、脚部をカバーし保護し、
前記第一靴面と前記第二靴面は、前脚をカバーし、前記第三靴面は足弓及びかかとをカバーし、
中足骨部の指骨部に隣接する付近に位置する第二靴面は、硬度が比較的低い弾性織布により製造し、硬度が比較的高い第一靴面と第三靴面を連接することを特徴とする靴面の前脚曲折位置に弾性織帯を設置する靴。
【考案の詳細な説明】
【技術分野】
【０００１】
本考案は靴に関し、特に靴面の前脚曲折位置に弾性織帯を設置する靴に関する。
【背景技術】
【０００２】
図１は脚部解剖図である。
歩行力学に基づけば、歩行は先ずかかとが地面に着き、体重が脚の外側からつま先へと移動し、さらにつま先により蹴り出されて前進する。
この時、指骨部１２１１と中足骨部１２１２を連接する関節は曲折し、前方へと蹴り出す動力を生じる。
【０００３】
靴の基本構成部材は、靴底及び靴面である。
前者の多くは、ＰＶＣ、ＰＵ、ＴＰＲ、ＥＭＰ、ＡＢＳ、ＥＶＡ等の、サポート性及び耐磨耗性を備える材料で製造されている。
後者は概ね、プラスチック樹脂靴面、皮革靴面、ニット靴面に分けられる。
その内、プラスチック樹脂靴面の主要材料はＰＶＣ皮革及びＰＵ合成皮革である。
皮革靴面の主要材料は、牛皮、羊皮、蛇皮、ワニ皮である。
ニット靴面は、繊維材料を針織、ニット、或いは織って製造され。
靴面は、脚部を定型及び保護する機能を備えるため、一定の硬度を備える必要があるが、指骨部と中足骨部関節が曲折すると、靴面にはシワがより、指骨部を下方へと圧迫し不快を生じる。
この状況は、プラスチック樹脂靴面及び皮革靴面で特に顕著で、不快感は靴を長く履くことでゆっくりと和らいでは行くが、靴面上に生じるシワは消失しないばかりか、長く蓄積する汚れは見た目の美しさに悪影響を及ぼす。
反対に、時下流行のニット靴は、極めて軽量で上述の問題はないが、ニット靴は、脚部に対する保護性が劣り、しかも定型性も良くなく変形しやすいという事実がある。
【考案の概要】
【考案が解決しようとする課題】
【０００４】
本考案の目的は、上述のプラスチック樹脂靴面、皮革靴面或いはニット靴面に存在する問題を完全に解決できる靴面の前脚曲折位置に弾性織帯を設置する靴を提供することにある。
【課題を解決するための手段】
【０００５】
本考案による靴面の前脚曲折位置に弾性織帯を設置する靴は、靴底及び靴面を有する。
該靴面は第一靴面、第二靴面及び第三靴面を更に有し、中足骨部の指骨部に隣接する付近に位置する第二靴面は弾性織帯で製造し、第一靴面と第三靴面に連接する。
これにより、前脚曲折位置の指骨部に対する圧力を解除することができる。
【考案の効果】
【０００６】
本考案による靴面の前脚曲折位置に弾性織帯を設置する靴は、前脚曲折位置の指骨部に対する圧力を解除することができる。
【図面の簡単な説明】
【０００７】
【図１】脚部の解剖図である。
【図２】本考案の外観立体図である。
【図３】本考案の動作模式図である。
【考案を実施するための形態】
【０００８】
（一実施形態）
図１〜図３に示す通り、本考案による靴１は、靴底１０及び靴面１１を有する。
靴面はさらに第一靴面１１１、第二靴面１１２、第三靴面１１３が相互に連接し、靴底１０周縁において環状に固定され、収容空間を形成し、脚部１２を保護する。
第一靴面１１１と第二靴面１１２は、指骨部１２１１及び中足骨部１２１２が位置する前脚１２１をカバーし、第三靴面１１３は、足弓１２２及びかかと１２３をカバーする。
【０００９】
考案の特徴は、中足骨部が指骨部に隣接する第二靴面１１２は、硬度が比較的低い弾性織布により製造し、硬度が比較的高い第一靴面１１１及び第三靴面１１３を連接する点である。
よって、使用者の歩行時、前脚曲折１３位置では、第二靴面１１２は弾性伸縮を備える織布を採用するため、シワがよらず、当然、指骨部に対して圧力を生じることもないため、非常に快適で、硬度が比較的高い第一靴面１１１及び第三靴面１１３により、前脚保護と定型のニーズに応えることもでき、これによりニット靴面がこれまで達成できなかった効果を補うことができる。
【００１０】
前述した本考案の実施形態は本考案を限定するものではなく、よって、本考案により保護される範囲は後述される実用新案登録請求の範囲を基準とする。
【符号の説明】
【００１１】
１  靴
１０  靴底
１１  靴面
１１１  第一靴面
１１２  第二靴面
１１３  第三靴面
１２  脚部
１２１  前脚
１２１１  指骨部
１２１２  中足骨部
１２２  足弓
１２３  足跟
１３  曲折
【図１】
0003215278.tif 000003
【図２】
0003215278.tif 000004
【図３】
0003215278.tif 000005
(57)【要約】【課題】  本考案は震災等で前側に転倒して人に怪我をさせたり、避難経路を塞いだりすることを防ぐために、前側に転倒しにくい物掛けスタンドを提供する。【解決手段】  ベース（１）から垂直方向に立ち上がっているスタンド部（２）の下部に背板（３）を取り付けることにより、重心を低くするとともに、スタンド部（２）の立ち上げ位置をベース（１）の後側にすることにより、全体の重心を後方下部にすることにより、物掛けスタンドを前側に転倒しにくくする。【選択図】図１
0003215212.tif 000002
【実用新案登録請求の範囲】
【請求項１】
ベース（１）と、
前記ベース（１）から垂直方向にスタンド部（２）が立ちあがり、
前記スタンド部（２）の下部に背板（３）を設けたことを特徴とする物掛けスタンド。
【請求項２】
前記スタンド部（２）を、前記ベース（１）の後側から垂直方向に立ち上がらせたことを特徴とする請求項１記載の物掛けスタンド。
【請求項３】
前記背板は比重の大きい金属でできていることを特徴とする請求項１記載の物掛けスタンド。
【考案の詳細な説明】
【技術分野】
【０００１】  本考案は、重心を低く後側にすることにより、前側に転倒しにくい物掛けスタンドに関するものである。
【背景技術】
【０００２】  従来、据置式の物掛けは、据え置きしているときの安定性を重視した構造や箱型のものが多い。
【先行技術文献】
【特許文献】
【０００３】
【特許文献１】特開２０１３−１７２９３６号  公報
【考案の概要】
【考案が解決しようとする課題】
【０００４】  従来、据置式の物掛けは、震災等で転倒して避難経路を塞いだり、転倒により人に怪我をさせるという問題点があった。
本考案は、以上のような問題点を考慮してなされたものであり、前側に転倒しにくい物掛けスタンドを提供することを目的とする。
【課題を解決するための手段】
【０００５】  本考案は、背板を物掛けスタンドのベースから垂直方向に立ち上がっているスタンド部の下部に取り付けることにより、重心を低くするとともに、スタンド部の立ち上げ位置をベースの中心より後側にすることにより、全体の重心を後方下部にし、前側に転倒しにくくして、問題を解決している。
【考案の効果】
【０００６】  上述のように、本考案の物掛けスタンドは従来の目的である、物を掛けることは勿論、全体の重心を後方低部にすることにより、震災等でも前側に転倒しにくい効果がある。
【図面の簡単な説明】
【０００７】
【図１】本考案の物掛けスタンドの一実施例を示す斜視図である。
【図２】本スタンドの正面図である。
【図３】本スタンドの右側面図である。
【考案を実施するための形態】
【０００８】  以下、本考案を実施するための形態について説明する。
ベース（１）から垂直方向に立ち上がるスタンド部（２）の下部に比重の大きい金属（例えば鉄など）でできた背板（３）を取り付け、これにより重心が低くなり転倒しにくくなる。更にスタンド部（２）をベース（１）の中心より後側から立ち上げることにより重心が後側になる。これにより全体の重心が後方下部になることにより、物掛けスタンドが前側に転倒しにくくなる。また、床面等を傷つけないようにキャップ付脚（４）を取り付けるとともに、仮に転倒して避難経路を塞いだ場合でも、人ひとりで持ち上げ直ぐに立ち上げられる重量とし、清掃等で移動が必要な場合も人ひとりで持ち上げ、移動できる重量とする。
本考案は、以上の様に構成された構造に限定されず、各部の形状や材質等を種々のものに変更して構成しても良い。
これを使用するときは、壁際等に設置する。重心が低くかつ後側にあるため、前側には転倒しにくくなる。後側には転倒しやすくなるが、後側に転倒しようとした場合は壁等に当たり転倒しない。
【符号の説明】
【０００９】    １  ベース
２  スタンド部
３  背板
４  キャップ付脚
５  固定バー
【図１】
0003215212.tif 000003
【図２】
0003215212.tif 000004
【図３】
0003215212.tif 000005
(57)【要約】      （修正有）【課題】本考案は、美容施術用ローブの背面側を体正面胸部側よりも低い丈までとし、背中の美容施術を容易にする。【解決手段】本考案は、体正面胸部側Ｆよりも背面側Ｒの生地を短く仕立て、胸部をカバーしながらも、背中を大きく露出させ施術を容易にする。更には、ゴム部は肌に接しない側に設けることで、肌に対する圧迫性を低減しながらも密着する事を可能とし、美容施術を受ける人の負担を低減するのに役立つ。【選択図】図４
0003215211.tif 000002
【実用新案登録請求の範囲】
【請求項１】
上端部及び装着者の胸部付近をゴムで絞った円筒状の美容施術用のローブであって、上端部の体正面胸部側よりも背面側を下げて短い丈とするとともに、上端部及び胸部付近のゴム通し部を構成するカバー布の取り付け部を、直接装着者の肌面に触れないよう外面に配置したことを特徴とする美容施術用ローブ。
【考案の詳細な説明】
【技術分野】
【０００１】  本考案は、全身的な美容施術時や、美容施術前後の室内着に適した、美容施術用ローブに関するものである。
【背景技術】
【０００２】  女性を対象とした美容施術に於いては、胸部などを隠しながらも、背中、腹部、腰部などに施術する必要がある。この分野の美容施術時に着用可能な着衣としては、下着、水着などの着衣、入浴介護用のローブ、水泳時の水着への着替え用ローブなどしかなかった。あるいは、浴衣のような洋装のバスローブ、日本的な浴衣などしかなかった。
【先行技術文献】
【０００３】
【特許文献１】実用新案登録第３１５０８１９号  公報
【特許文献２】実開平５−９４２１６号  公報
【考案の概要】
【考案が解決しようとする課題】
【０００４】  従来のバスローブや浴衣などの衣類では、入浴や通常生活には適しても、美容施術を実施するには、その美容施術部分に合わせて皮膚が露出するようにずらす必要が有った。また、固縛用の紐、調節用のゴムなどにより、体が押圧され、皮膚の圧迫、赤変を生たりする場合があり。はなはだしい場合には、痛みを伴う場合があった。
【課題を解決するための手段】
【０００５】  本考案は、前記の様な課題を解決するためになされたもので、体正面側よりも背面側の生地を短く仕立てることにより、胸部をカバーしながらも、背中を大きく露出させ施術を容易に可能とし、施術の度に位置を上げたり、下げたりする必要がない。【０００６】  さらには、ゴムは肌に接する面とは逆の外面にゴムのカバー布とともに配置されることで、装着者への押圧や刺激を低減することができる。
【考案の効果】
【０００７】  本考案により、背面に美容施術を行う場合であっても、ローブをずらすことなく施術が可能であるとともに、ゴム通し部を外面に配置したことで、被施術者へのゴムの収縮力による押圧も少なくすることが可能である。
【図面の簡単な説明】
【０００８】
【図１】本考案の美容施術用ローブの正面図
【図２】本考案の美容施術用ローブを側部から見た図
【図３】本考案の美容施術用ローブのゴム通し部の断面図
【図４】本考案の美容施術用ローブの斜視図
【考案を実施するための形態】
【０００９】  美容施術用ローブの胸部体正面側よりも、背面側の丈を短くし、その上端部と胸部の適当な位置にゴム通し部を有する。ゴムはそのカバーと共に、装着者の体表面側と反対側に位置する。
ゴムは、伸縮することで、装着を容易にするとともに、装着後は体に密着するよう円周方向に直径を絞る。
【実施例】
【００１０】  以下、添付図面に従って一実施例を説明する。図１に示した１は本考案の美容施術用ローブ本体。２は美容施術用ローブ上端部のゴム通し部、３及び４は、美容施術用ローブの外面側、すなわち肌に密着しない側に設けられた外面のゴム通し部である。図３に示した５ａ、５ｂ、５ｃ、は、それぞれ２、３及び４のゴム通し部に通された、美容施術用ロープを円周方向に直径を絞り、装着者にフィットするために設けられたゴムである。
図４のＦは装着者の体正面側、Ｒは装着者の背中側を示す。【００１１】  美容施術用ローブを構成する布地には、タオル地などの吸水性が良く、肌にも優しい素材を用いる。
布地は、長さは１ｍから１．２ｍ程度、円周長さ１ｍ程度のサイズを使用する。美容施術用ローブの体正面側の丈に対して、背面側は０．１から０．２ｍ程度短くし、その側部の接続は、緩やかなカーブを描くように形成する。
ゴム部は、体に密着しない側に、リボンテープなどの５ａ、５ｂ、５ｃのゴムよりも幅が広い素材で形成する。最上部２のゴム部については、基礎布を外側に折り返すように形成してもよい。その取り付けは、糸による縫製による取り付けが好ましいが、接着剤による接着、熱接着テープによる接着でもよい。【００１２】  本考案は、このサイズに限定せず、体形に合わせ、Ｌ、Ｍ、Ｓなどのサイズ分けした美容用バスローブとしてもよい。ゴム通し部も３つに限定せず、サイズに応じて１以上設ける。裾方向に広がる形態でもよいし、円筒状でもよい。正面側と背面側の丈の差も、施術内容に応じて、調整しても良い。
【産業上の利用可能性】
【００１３】  本考案は、美容施術用のローブではあるが、医療や介護を受ける際や、水泳時、就寝時などにも幅広く利用できる。また、女性に限らず、男性の美容や医術の施術時にも幅広く利用できる。
【符号の説明】
【００１４】  １  美容施術用ローブ
２  上端部のゴム通し部
３  外面のゴム通し部
４  外面のゴム通し部
５ａ、５ｂ、５ｃ  ゴム
Ｆ  体正面胸部側
Ｒ  背面側
【図１】
0003215211.tif 000003
【図２】
0003215211.tif 000004
【図３】
0003215211.tif 000005
【図４】
0003215211.tif 000006
(57)【要約】      （修正有）【課題】器具自体の耐久性が向上し、土中からの抵抗反力が軽減され、バッテリーの消耗が抑えられ、長時間の電動工具による作業を行う事が出来る雑草抜き器具を提供する。【解決手段】肉厚金属パイプ棒の下端先端部にパイプ長手方向と平行の切り込み刃先加工を施した主材部と、その上端部に、インパクトドライバー用の六角ビットとを接合し組み合わせる。器具自体の耐久性が向上し、パイプ刃先の円周方向へのみに回転力が伝わることで、土中からの抵抗反力が軽減され、電動モーターへの負担も軽減される。又、器具本体と地面との加圧部が破損しにくいので、抵抗強度の高い雑草根に対しても、強い衝撃力と高速回転を与える事が出来る。【選択図】図１
0003215828.tif 000002
【実用新案登録請求の範囲】
【請求項１】
肉厚金属パイプ棒の下端先端部に切り込み刃先加工を施した主材部と、その上端部に、インパクトドライバー用の六角ビットとを接合し組み合わせる事で、雑草根に強い衝撃力と高速回転を与え、雑草抜きが容易に行える事を特徴とする、雑草抜き器具。
【請求項２】
肉厚金属パイプ棒の下端先端部への、切り込み刃先加工の角度が、基本的にパイプ長手方向と平行になるような刃先形状を有する事を特徴とする、請求項１記載の雑草抜き器具。
【請求項３】
肉厚金属パイプ棒の下端先端部への、切り込み刃先加工の本数は、パイプ外径が２５ミリ未満では４本、パイプ外径が２５ミリ以上では６本である事を特徴とする、請求項１記載の雑草抜き器具。
【考案の詳細な説明】
【技術分野】
【０００１】  本考案は、肉厚金属パイプ棒の下端先端部に切り込み刃先加工を施した主材部と、その上端部に、インパクトドライバー用の六角ビットとを接合し組み合わせる事で、雑草根に強い衝撃力と高速回転を与え、従来の雑草抜き作業を、より容易に行う為の雑草抜き器具に関する考案である。
【背景技術】
【０００２】  従来の電動工具用の雑草抜き器具（以下「従来器具」と表記）について、概ね構造が少し複雑であったり、プラスチック成形を多用したりして、強度的に不安があり、器具自体が長持ちしないという欠点があった。また器具の独自形状による、土中からの回転反力が大きく、電動工具のモーターへの負担と、大負荷によるバッテリーの消耗が大きく、長時間の作業には向かないものであった。（例えば、特許文献１参照）
【先行技術文献】
【特許文献】
【０００３】
【特許文献１】特開２０１１−０５０３０５
【考案の概要】
【考案が解決しようとする課題】
【０００４】  本考案は、従来器具の欠点である「器具自体の強度不足による、器具の破損損耗」及び「土中からの抵抗負荷による充電バッテリー電圧量の消耗」を軽減し、「電動工具による、より長時間の雑草抜き作業を行う事」を目的とする事を課題とする。
【課題を解決するための手段】
【０００５】  上記の課題を解決する為に、肉厚金属パイプ棒の下端先端部に切り込み刃先加工を施した主材部と、その上端部に、インパクトドライバー用の六角ビットとを接合し組み合わせる事で、問題点を解決している。
【考案の効果】
【０００６】  本考案により、器具自体の耐久性が向上し、またパイプ刃先の円周方向へのみに回転力が伝わることで、土中からの抵抗反力が軽減されるので、インパクトドライバーの電動モーターへの負担も軽減され、それによりバッテリーの消耗が抑えられて、長時間の電動工具による雑草抜き作業を行う事が出来る。【０００７】  本考案により、刃先部分の材質が肉厚金属パイプ棒なので、構造が簡単で剛性強度がある為、従来器具に比べて、器具本体と地面との加圧部が破損しにくいので、抵抗強度の高い雑草根に対しても、インパクトドライバーの強い衝撃力と高速回転を与える事が出来、従来器具では困難であった各種の雑草抜き作業を、より広範囲に行う事が出来る。
【図面の簡単な説明】
【０００８】
【図１】本考案の詳細図である。
【図２】本考案の使用時の概略図である。
【考案を実施するための形態】
【０００９】    図１は、本考案器具の構造の詳細図であって、肉厚金属パイプ棒の下端先端部に切り込み刃先加工を施した主材部と、その上端部に、インパクトドライバー用の六角ビットとを接合し組み合わせた構造で、実際の使用時には、六角ビット部にインパクトドライバーを取り付けた状態で使用する。
【実施例】
【００１０】  本考案器具の使用実施例としては、六角ビット部（２）にインパクトドライバーを取り付けて、刃先部（３）を抜きたい雑草の根元部に軽く突き刺した状態で、インパクトドライバーのスイッチを入れ、器具全体を高速回転させることにより、雑草根が絡め取られる。
【実施形態の効果】
【００１１】  一体構造の刃先形状により、器具自体の耐久性が向上し、又パイプ刃先の円周方向へのみに回転力が伝わることで、土中からの抵抗反力が軽減されるので、インパクトドライバーの電動モーターへの負担も軽減され、それによりバッテリーの消耗が抑えられて、長時間の電動工具による雑草抜き作業を行う事が出来る。又従来器具に比べて、器具本体と地面との加圧部が破損しにくいので、抵抗強度の高い雑草根に対しても、インパクトドライバーの強い衝撃力と高速回転を与える事が出来、従来器具では困難であった各種の雑草抜き作業を、より広範囲に行う事が出来る。
【符号の説明】
【００１２】１  主材部肉厚金属パイプ  φ１０ｍｍ〜φ５０ｍｍ
（ステンレス鋼管・ガス鋼管等）
２  インパクトドライバー用の六角ビット部
３  刃先部
４  本刃先部詳細
Ｄ：外形  φ１０ｍｍ〜φ２５ｍｍ未満
Ｔ：肉厚  １ｍｍ〜３ｍｍ
刃先長＞Ｄ  ２０ｍｍ〜６０ｍｍ
６  本刃先部詳細
Ｄ：外形  φ２５ｍｍ〜φ５０ｍｍ
Ｔ：肉厚  １ｍｍ〜３ｍｍ
刃先長＞Ｄ  ２６ｍｍ〜６０ｍｍ
【図１】
0003215828.tif 000003
【図２】
0003215828.tif 000004
(57)【要約】      （修正有）【課題】肘とか袖口が駆動輪に接することがなく、構造が単純化され、多くの構成部品を必要としない介護用車椅子を提供する。【解決手段】座席１１後部に手押しハンドル２を、前後部に左右一対の前輪３および後輪４を備えた介護用車椅子１において、車体フレーム５の前部に水平に設けた左右一対のハンドル座６の上に水平方向に回転する左右一対の手動回転ハンドル７を備え、右側の手動回転ハンドル７は右回転とし、左側の手動回転ハンドル７は左回転とし、左右一対の手動回転ハンドル７の回転駆動力を、ギアーボックス９内のギアーを介してフレキシブルシャフト８により左右それぞれの後輪４に伝達する構成としている。【選択図】図３
0003215894.tif 000002
【実用新案登録請求の範囲】
【請求項１】
座席後部に手押ハンドルを、前後部に左右一対の前輪および後輪を備えた介護用車椅子において、車体フレームの前部に水平に設けた左右一対のハンドル座の上に水平方向に回転する左右一対の手動回転ハンドル備え、右側の手動回転ハンドルは右回転とし、左側の手動回転ハンドルは左回転とし、前記左右一対の手動回転ハンドルの回転駆動力を、ギアーボックス内のギアーを介してフレキシブルシャフトにより左右それぞれの後輪に伝達する構成とし、前記左右一対のハンドル座は、左右方向に９０度回転させることができるようにした事を特徴とする介護用車椅子。
【考案の詳細な説明】
【技術分野】
【０００１】
本考案は被介護者自身が手動操作により走行操作することも可能な介護用車椅子に関するものである。
【背景技術】
【０００２】
従来の介護用車椅子で人力型のものは、左右後輪の駆動輪の外側に同軸設けられた小径のハンドリムを直接、両手で回転させて駆動させるのが一般的であった。
【先行技術文献】
【特許文献】
【０００３】
【特許文献１】特許第３８３１９０７号
【特許文献２】実登第３１２５１７８号
【考案の概要】
【考案が解決しようとする課題】
【０００４】
従来の介護用車椅子では、大径の駆動輪が内側にあり外側に同軸設けられた小径のハンドリムを手動で回転させるため、肘とか袖口が駆動輪に接することがあり、操作性の面で十分なものでは無かった。
また、これらの改善品として介護用車椅子本体の前方に垂直方向に回転させる手動ハンドルを設け、前輪を駆動する車椅子が公表されているが、介護者の乗降が不便で、多くの構成部品を必要としている。
【課題を解決するための手段】
【０００５】
本考案は、座席後部に手押しハンドルを、前後部に左右一対の前輪および後輪を備えた介護用車椅子において、車体フレームの前部に水平に設けた左右一対のハンドル座の上に水平方向に回転する左右一対の手動回転ハンドル備え、右側の手動回転ハンドルは右回転とし、左側の手動回転ハンドルは左回転とし、前記左右一対の手動回転ハンドルの回転駆動力を、ギアーボックス内のギアーを介してフレキシブルシャフトにより左右それぞれの後輪に伝達する構成としている。
そして、介護者の乗降を容易にするため、車体フレームの前部に水平に設けた左右一対のハンドル座は、左右方向に９０度回転させることができ、乗降時の出入り口スペースを広くすることができるようにしてある。
【考案の効果】
【０００６】
車椅子本体の前方の回転手道ハンドルで駆動できるので、肘とか袖口が駆動輪に接することがなく、フレキシブルシャフトを使用して回転手動ハンドルの駆動力を後輪に伝達しているので構造が単純化され、多くの構成部品を必要としない。
【図面の簡単な説明】
【０００７】
【図１】本考案の介護用車椅子を示す平面図
【図２】本考案の介護用車椅子を示す正面図
【図３】本考案の介護用車椅子を示す側面図
【考案を実施するための形態】
【０００８】
本考案の介護用車椅子は、座席後部に手押しハンドルを有し、後輪の左右に大径の駆動輪を前輪の左右に小径で全方向に回転可能なキャスターを備え、車体フレームにより車椅子全体を支えるている。車体フレームの前部に水平に設けた左右一対のハンドル座を取り付け、その上に水平方向に回転する左右一対の手動回転ハンドル備えている。右側の手動回転ハンドルは右回転とし、左側の手動回転ハンドルは左回転とし、前記左右一対の手動回転ハンドルの回転駆動力をギアーボックス内のギアーを介してフレキシブルシャフトにより左右それぞれの後輪に連結し、駆動力を伝達する構成としている。
そして、介護者の乗降を容易にするため、車体フレームの前部に水平に設けた左右一対のハンドル座は、左右方向に９０度回転させることができ、乗降時の出入り口スペースを広くすることができるようにしてある。
【実施例】
【０００９】
以下、添付図面に従って一実施例を説明する。
１は介護用車椅子で、左右の大径の後輪４とこれらと同軸に直結されたハンドリム１０、左右の小径の前輪３、車椅子全体を支える車体フレーム５で構成されている。２は手押しハンドルである。
６はハンドル座、７は手動回転ハンドル、９はギアーボックスで前記ハンドル座６に取り付けられており、このギアーボックス９内で手動回転ハンドル７とフレキシブルシャフト８は夫々に直結した２つの歯車を介して接合されている。手動回転ハンドル７が右回転するとフレキシブルシャフト８は左回転し、手動回転ハンドル７の回転数と後輪４の回転数の比率は歯車のギアー比率により選択できる。
左右のハンドル座６は介護者が車椅子への乗降を容易にするため、左右の９０度上方へ回転できる構造としている。
右側の手動回転ハンドル７と右側の後輪４が、左側の手動回転ハンドル７と左側の後輪４が、夫々フレキシブルシャフト８で接続されている。左右の手動回転ハンドル７は夫々単独で回転させることができ、夫々右回転、左回転させる事ができる。右側の手動回転ハンドル７を右回転させれば後輪４は前進方向に、左回転させれば後輪４は後進方向に回転する。同様に左側の手動回転ハンドル７を左回転させれば後輪４は前進方向に、右回転させれば後輪４は後進方向に回転する。即ち、左右それぞれの手動回転ハンドル７を夫々、同時に左右回転させれば左右それぞれの後輪４は前進方向に回転し介護用車椅子１は前進する。左側の手動回転ハンドル７を固定し右側の手動回転ハンドル７を右回転すれば左方向に回転することができ、同様に右側の手動回転ハンドル７を固定し左側の手動回転ハンドル７を左回転すれば右方向に回転することができる。
【符号の説明】
【００１０】
１    介護用車椅子
２    手押ハンドル
３    前輪
４    後輪
５    車体フレーム
６    ハンドル座
７    手動回転ハンドル
８    フレキシブルシャフト
９    ギアーボックス
１０  ハンドリム
１１  座席
【図１】
0003215894.tif 000003
【図２】
0003215894.tif 000004
【図３】
0003215894.tif 000005
(57)【要約】      （修正有）【課題】ＶＯＣ（揮発性有機化合物）による健康被害を少なくし、調湿機能を有するタイルを提供する。【解決手段】タイル１は珪藻土・消石灰・パルプを焼成してできるセラミックである。このタイル１には調湿効果があり、室内の調湿を行い結露を抑制することができ、またＶＯＣ（揮発性有機化合物）を分解・無害化する機能があり、健康被害を少なくすることができる。さらにタイルは、裏面に粘着シート２と剥離シート３を有しているので、簡単に壁等に取り付けることができる。【選択図】図１
0003215869.tif 000002
【実用新案登録請求の範囲】
【請求項１】
珪藻土と消石灰とパルプとを有した成形体を焼成してなるセラミックであることを
特徴とするタイル。
【請求項２】
前記タイルの裏面に粘着シートと剥離シートとをこの順に備えたことを特徴とする
請求項１に記載のタイル。
【考案の詳細な説明】
【技術分野】
【０００１】
本考案は、調湿効果を有するタイルに関するものである。
【背景技術】
【０００２】
建築物の壁などにタイルを貼る際には、接着剤を使用して貼るか、セメントで貼るなどしていた。もしくは適当な厚さの製材を釘などで留めていた。例えば樹脂製塗料内にどぼ漬けした木製タイルを、下地上に塗られた接着剤で壁にタイルを取り付ける
ものがある（特許文献1）。
【０００３】
建築物の室内の壁などを改装や補修する場合は一定の技術を有した専門業者に
依頼するか、自分で材料を購入して施行する必要があった。
【０００４】
また従来のタイルは、汚れ防止や装飾などのために取り付けられる場合が多く、
タイルに調湿やVOC（揮発性有機化合物）の分解機能を持ったものはなかった。
【先行技術文献】
【特許文献】
【０００５】
【特許文献１】実開平６−３０３２４号  公報
【考案の概要】
【考案が解決しようとする課題】
【０００６】
近年の建築物はエアコンなどの空調機器の性能の向上に伴い、気密性の向上も
求められるようになっており、その影響で結露などの問題が発生している。
また建材自体からでるVOC（揮発性有機化合物）などの影響でシックハウス症候群も
大きな問題として取り上げられている。
壁の材料として木を使用したものがある。木は本来調湿機能を有しているが、特許文献1の木製タイルは樹脂製塗料内にどぼ漬けし、下地上に塗られた接着剤で壁に
取り付ける物である。このようにして作られたタイルは、木の表面を樹脂製塗料で覆う
ため、調湿機能が無くなってしまうことになる。
【０００７】
建築物の室内の壁などで調湿効果などを有するものに変更しようとすると、ある一定の技術を有した専門業者に依頼するか、自分で材料を購入して施工するかのどちらかである。
専門の業者に依頼すると費用的にも高額になる。自分で施行するとしても材料の
目安が分かりにくいので、結局材料が余ってしまったりしてもったいない部分があった。
【課題を解決するための手段】
【０００８】
本考案のタイルは、珪藻土と消石灰とパルプとを有した成形体を焼成してなる
セラミックである。
また、タイルの裏面に粘着シートと剥離シートとをこの順に備えた構成としている。
【考案の効果】
【０００９】
上述のように、本考案のタイルは珪藻土と消石灰とパルプとを有したものである。
この成分である珪藻土は優れた吸放湿性があり、部屋の湿度を自動的に調整  し、結露を抑制するという効果がある。
また消石灰はアルカリ性の性質があり、その性質で殺菌を行うため消臭機能  を有する。またVOC（揮発性有機化合物）なども吸着分解する効果があるの  でシックハウス症候群の抑制にもなる。
パルプには繊維質があるために強度を上げる効果がある。                
【図面の簡単な説明】
【００１０】
【図１】本考案のタイルの構成を示す構成図である。
【考案を実施するための形態】
【００１１】
以下、添付図面に従って実施の形態について説明する。図1において、タイ  ル1は珪藻土と消石灰とパルプを有した成形体を焼成してなるセラミックで  ある。
また、タイル1の裏面には粘着シート2と剥離シート3とをこの順に備えた構成と
なっている。
本考案のタイル1には粘着シート2と剥離シート3が備えてある。まずタイル1の貼る場所を決める。貼る場所をきれいにしたら、剥離シート3をはがして、タイル1を貼りたい部分に正確に押し当てる。
粘着シート2が壁に接着してタイル1が壁に貼れる。
タイル１に含まれる珪藻土は、吸放湿を行うので部屋に湿気が多い場合は湿気を吸収し、結露を抑制する効果を有する。また消石灰は、アルカリ性の性質を持ち、殺菌効果やＶＯＣ（揮発性有機化合物）を分解し、健康被害を防ぐこうかがある。さらにパルプの繊維は、タイル1の強度を増すことができる。
このように健康被害を少なくし、調湿機能を持った多機能タイルを、裏面の粘着テープをはがし壁の貼りたい一に押しつけるだけで、簡単にタイル設置工事が行えるものである。
【符号の説明】
【００１２】
１  タイル
２  粘着シート
３  剥離シート
【図１】
0003215869.tif 000003
(57)【要約】【課題】  本考案は、ヘルメットのシールドが曇ることを防止することができるマスクを提供することを目的とする。【解決手段】  着用者の口と鼻を覆うためのマスク本体２０と、マスク本体２０の上側両端付近に接続され、マスク本体２０を着用者の顔面に保持するための伸縮可能な帯状のバンド３０と、マスク本体２０のうち、顔面に装着する面側であってかつ上側端部に、マスク本体２０を横断するようにして横方向に沿って突出して形成され、着用者の呼気が上方に排出されることを防止するための凸型形状の呼気排出防止部４０と、呼気排出防止部４０の中央付近に設けられ、マスク本体２０を装着する際、着用者の鼻の位置でマスク本体を湾曲するための切欠５０とを備える。【選択図】  図１
0003215539.tif 000002
【実用新案登録請求の範囲】
【請求項１】
着用者の口と鼻を覆うためのマスク本体と、
前記マスク本体の上側両端付近に接続され、前記マスク本体を着用者の顔面に保持するための伸縮可能な帯状のバンドと、
前記マスク本体のうち、顔面に装着する面側であってかつ上側端部に、前記マスク本体を横断するようにして横方向に沿って突出して形成され、着用者の呼気が上方に排出されることを防止するための凸型形状の呼気排出防止部と、
前記呼気排出防止部の中央付近に設けられ、前記マスク本体を装着する際、着用者の鼻の位置で前記マスク本体を湾曲するための切欠と
を備えることを特徴とするマスク。
【考案の詳細な説明】
【技術分野】
【０００１】
本考案は、マスクに関する。
【背景技術】
【０００２】
近年、口や鼻を覆うマスクとして、種々のものが提案及び開発されている。
【考案の概要】
【考案が解決しようとする課題】
【０００３】
本考案は、ヘルメットのシールドが曇ることを防止することができるマスクを提供することを目的とする。
【課題を解決するための手段】
【０００４】
本考案の一態様によるマスクは、
着用者の口と鼻を覆うためのマスク本体と、
前記マスク本体の上側両端付近に接続され、前記マスク本体を着用者の顔面に保持するための伸縮可能な帯状のバンドと、
前記マスク本体のうち、顔面に装着する面側であってかつ上側端部に、前記マスク本体を横断するようにして横方向に沿って突出して形成され、着用者の呼気が上方に排出されることを防止するための凸型形状の呼気排出防止部と、
前記呼気排出防止部の中央付近に設けられ、前記マスク本体を装着する際、着用者の鼻の位置で前記マスク本体を湾曲するための切欠と
を備える。
【考案の効果】
【０００５】
本考案のマスクによれば、ヘルメットのシールドが曇ることを防止することができる。
【図面の簡単な説明】
【０００６】
【図１】本考案の実施の形態によるマスクの構成を示す正面図、背面図、平面図及び側面図である。
【図２】同マスクを装着した場合の様子を表す側面図である。
【考案を実施するための形態】
【０００７】
以下、本考案の実施の形態について図面を参照して説明する。
【０００８】
図１に、本考案の実施の形態によるマスク１０の構成を示す。このうち、図１（ａ）は、マスク１０を正面側から視認した場合の正面図を示し、図１（ｂ）は、マスク１０を背面側から視認した場合の背面図を示し、図１（ｃ）は、マスク１０を上方から視認した場合の平面図を示す。図２は、マスク１０を装着した場合の様子を表す。
【０００９】
マスク１０は、着用者の口と鼻を覆うためのマスク本体２０を有する。このマスク本体２０は、例えば軟質ビニルなどによって形成されている。
【００１０】
マスク本体２０の上側両端付近には、マスク本体２０を着用者の顔面に保持するため、伸縮可能な帯状のバンド３０が設けられている。このバンド３０は、例えばゴム材によって形成されている。
【００１１】
マスク本体２０のうち、顔面に装着する面側であって、かつ上側端部には、着用者の呼気が上方に排出されることを防止するため、凸型形状の呼気排出防止部４０が、マスク本体２０を横断するようにして、横方向に沿って形成されている。この呼気排出防止部４０は、例えばスポンジなどによって形成されている。
【００１２】
呼気排出防止部４０の中央付近には、マスク１０を装着する際、着用者の鼻の位置でマスク本体２０を折り曲げるための切欠５０が設けられている。
【００１３】
図２に示すように、マスク１０を装着する際には、着用者の鼻の角度に応じて、マスク１０が斜め方向に装着される。これにより、マスク１０の下方が開口し、着用者の呼気が下方に排出される。
【００１４】
このように本実施の形態によれば、マスク１０を装着した上で、ヘルメットを装着すれば、着用者の呼気が下方に排出されることにより、ヘルメットのシールドが曇ることを防止することができる。
【００１５】
すなわち、本実施の形態の場合、マスク１０は、着用者の口と鼻を覆うためのマスク本体２０と、マスク本体２０の上側両端付近に接続され、マスク本体２０を着用者の顔面に保持するための伸縮可能な帯状のバンド３０と、マスク本体２０のうち、顔面に装着する面側であってかつ上側端部に、マスク本体２０を横断するようにして横方向に沿って突出して形成され、着用者の呼気が上方に排出されることを防止するための凸型形状の呼気排出防止部４０と、呼気排出防止部４０の中央付近に設けられ、マスク本体２０を装着する際、着用者の鼻の位置でマスク本体を湾曲するための切欠５０とを備える。
【符号の説明】
【００１６】
１０  マスク
２０  マスク本体
３０  バンド
４０  呼気排出防止部
５０  切欠
【図１】
0003215539.tif 000003
【図２】
0003215539.tif 000004
(57)【要約】      （修正有）【課題】夜間であっても内部に収納した小物を探すことが出来るコンソールボックスを提供する。【解決手段】ＵＳＢ充電口３とＬＥＤ照明４を備えるコンソールボックスであって、ＬＥＤ照明４はＵＳＢ充電口３と同一またはＵＳＢ充電口３よりも低い位置に設けることで運転者からはＬＥＤ照明４の光源を隠しつつコンソールボックス内部を照らすことができる。【選択図】図１
0003215586.tif 000002
【実用新案登録請求の範囲】
【請求項１】
USB充電口とLED照明を備えるコンソールボックスであって、前記LED照明は前記USB充電口と同一または前記USB充電口よりも低い位置に設けたことを特徴とするコンソールボックス。
【請求項２】
前記LED照明のスイッチとなる感応装置は、赤外線感応装置、光感応装置、超音波感応装置、マグネット開閉装置、タッチセンサーのいずれか、または組み合わせであって
コンソールボックスの上蓋を開けると、前記感応装置が感応し前記LED照明のスイッチを入れて前記LED照明を点灯させ、コンソールボックス上蓋を閉めると前記感応装置が感応し、前記LED照明を一定時間点灯させ、徐々に暗くなり消灯させることを特徴とする請求項１に記載のコンソールボックス。
【考案の詳細な説明】
【技術分野】
【０００１】
本考案は、自動車の運転席と助手席の間に設置するセンターコンソールボックスに関するものである。
【背景技術】
【０００２】
小物を収納するコンソールボックスは、車種又はグレードにより、標準装備として設定されている場合や、オプション装備として設定されている場合、または設定されていない場合もある。コンソールボックスは、車内に置いておくペンや財布などの小物の収納に便利かつ、外部から車内の小物が見えないので防犯にも役立つが、従来のコンソールボックスは照明が無く、また、室内灯の光も届きにくい場所に設置してあるので夜間に収納物の探すことは困難であった。
【考案の概要】
【考案が解決しようとする課題】
【０００３】
本考案が解決しようとする課題は、コンソールボックスの付いていない車種にも取付けが可能で、LED照明を用いつつも運転者の視界の妨げとならないことで、夜間であっても収納品を見つけることが出来る車両用センターコンソールボックスの構造を提供する。
【課題を解決するための手段】
【０００４】
本考案は、USB充電口とLED照明を備えるコンソールボックスであって、前記LED照明は前記USB充電口と同一または前記USB充電口よりも低い位置に設けたことを主要な特徴とする。
【考案の効果】
【０００５】
本考案のコンソールボックスによれば、コンソールボックスの設定の無い車種でも取付けが可能であって、LED照明により夜間でも収納した内容物を探すことが可能となる。
【図面の簡単な説明】
【０００６】
【図１】図１はコンソールボックスの構造を示した説明図である。
【図２】図２はコンソールボックスの制御部を示した説明図である。
【考案を実施するための形態】
【０００７】
コンソールトレイ本体１は多数の溝が設けられ、この溝に仕切り板を挿入することにより収納空間を使用者の任意の空間の大きさに設定することができる。
【０００８】
また、図示していないがコンソールボックス本体１の下面には車体側のアクセサリーソケットに挿入するソケットプラグが設けられている。このソケットプラグを車体のアクセサリーソケットに嵌合することでLED照明などの制御部に電力を供給する。
ここでは図１に示す様に、例として一枚の仕切り板により収納空間12と収納空間13とに仕切ることにする。
【０００９】
収納空間１３は収納空間１２より大きいが、空間の間隔は使用者が任意に設定可能である。
収納空間１２には前方にUSB充電口３、LEDライト４、前記LEDライト４を点灯させるスイッチとなる感応装置５がPCB基盤に設置された制御部が設けられている。
【００１０】
LED照明の点灯スイッチとしては種々のスイッチが考えられる。例えば、赤外線感応装置、光感応装置、超音波感応装置、マグネット開閉装置、タッチセンサーなどが挙げられる。
本考案では感応装置として赤外線を使用する。
【００１１】
制御部はUSB充電口３と、LED照明４と、前記LED照明４を点灯させる感応装置５とから構成される。
LED照明４は、コンソールボックスの蓋を閉めた後に直ぐに消灯するのではなく、３秒から４秒後に遅延消灯する様になっている。この遅延消灯にはMOS-FETを使う方法とコンデンサーを使う方法があるがどちらでも構わない。
本考案ではMOS-FETを用いた。
【００１２】
USB充電口は感応装置５の周囲に設けられている。また、LED照明４と同じ高さ以上の位置に設けられている。これにより運転者はLED照明４の光源を直視することが無い。
【００１３】
LED照明４はUSB充電口３や感応装置５よりも下側に設けてもよい。下側に設けることにより光源が運転者の視界に入らない様になる。LED照明は何色でも良く、RGBカラーのLEDでもよい。その場合には色を変更する制御ユニットを設ければよい。
【００１４】
また、LED照明４の後方と収納空間１３には穴が空けられており、この穴を通してLEDの光が収納空間１３内部を照らすことが出来る。この状態でも良いが、収納空間１３に収納した物がLED照明４を傷つける可能性もあるので、LED照明４の後方の穴を塞ぐように透明な板を設置してもよい。また、この板の一部を鏡面にし、リフレクターの様に用いてもよい。
【００１５】
LED照明４は制御部のPCB基盤上に設けられているが、この場所に限定されることはなく、例えばコンソールボックス本体１の下面、上面の側面、上蓋に設置しても良い。
車種に合わせ、運転者から光源が直接見えない位置に設置すればよい。
【００１６】
コンソールボックス本体１と車体側の固定方法は様々考えられる。例えば、車体に純正のコンソールボックスがある場合は、純正のドリンクホルダーに嵌合するような突起を本体１の下面に設けておけばよい。または面ファスナーを数本用いて純正コンソールボックスの上蓋に巻き付けて固定してもよい。
【００１７】
純正コンソールボックスと付け替えてもよい。その場合には純正コンソールボックスと同様の固定方法とすればよい。
純正コンソールボックスが無い場合は、運転席と助手席の間に挟むだけでもよいし、車体側のネジ穴に合わせてネジで固定してもよい。コンソールボックスの下面に横方向に回動可能な金属プレートを設け、コンソールボックスを運転席と助手席の間に挟みつつ、該金属プレートを運転席と助手席の下の空間に広げていき、固定する方法でもよい。
【符号の説明】
【００１８】
１    コンソールボックス本体
２    コンソールボックス上蓋
３    USB充電口
４    LED照明
５    感応装置
１２    収納空間
１３    収納空間
【図１】
0003215586.tif 000003
【図２】
0003215586.tif 000004